【事件の表示】
　平成　３年特許願第３４０４９３号「電子血圧計」拒絶査定に対する審判事件［平成　５年　７月　２日出願公開、特開平　５−１６８６０１］について、次のとおり審決する。
【結　論】
　本件審判の請求は、成り立たない。
【理　由】
理　　　由
１．手続の経緯・本願発明
　本願は、平成３年１２月２４日の出願であって、その請求項１に係る発明は、手続補正書により補正された明細書および図面の記載からみて、特許請求の範囲の請求項１に記載された次のとおりのものと認める。（以下、「本願発明」という）
「被測定者の要部に装着して阻血するカフと、カフ内の圧力を上昇させる加圧手段と、カフ内の圧力を徐々に降下させる排気手段と、カフ内の圧力を電気信号に変換する圧力センサーと、圧力センサーの出力から動脈脈波値及びカフ圧値を抽出する圧力情報分離手段と、圧力情報分離手段により抽出された動脈脈波値及びカフ圧値を格納する記憶手段と、記憶手段に格納された圧力値を適宜読み出して比較演算することにより、最高血圧値及び最低血圧値を決定する血圧決定手段と、その決定された最高血圧値及び最低血圧値を表示する表示手段とで構成されている電子血圧計に於いて、加圧速度を制御する加圧制御手段を設けると共に、加圧中に圧力情報分離手段により抽出される動脈脈波値の変化に応じて最高血圧に対応する動脈脈波値を推定し、その推定される動脈脈波値付近で加圧制御手段により加圧速度を減速して加圧完了を確認して加圧動作を終了することを特徴とする電子血圧計。」
２．引用刊行物記載の発明
ア　原査定の拒絶の理由に引用された特開昭６１−１４９１２２号公報（以下、引用例１という。）には、次の事項が記載されている。
(1-1)「生体の一部に巻付けられるカフへ流体を圧送することにより該カフを予め定められた目標圧力まで昇圧し、その後該カフを徐々に降圧させつつ血圧測定を行う血圧測定装置であって、
　前記カフの昇圧速度を検出する昇圧速度検出手段と、
　前記カフの昇圧速度が予め定められた一定の目標昇圧速度と一致するように前記カフへの流体圧送量を調節する昇圧速度調節手段と、
　前記カフの圧力が前記目標圧力に接近したときには前記昇圧速度調節手段にカフの昇圧速度を前記目標昇圧速度よりも遅い値に変更させる昇圧速度変更手段と
を含むことを特徴とする血圧測定装置。」
（１頁左下欄１５行〜右下欄８行）
　
(1-2)「第１図において１０は生体の一部に巻付けられるカフで、・・・マルチプレクサ３２に供給された圧力信号ＳＰおよび脈波信号ＳＭは、Ｉ／Ｏポート３４から供給されるタイミング信号ＳＴに従って交互にＡ／Ｄコンバータ３６に出力され、それぞれデジタルコード化された圧力信号ＳＰＤ、脈波信号ＳＭＤに変換された後、Ｉ／Ｏポート３４に供給される。
　Ｉ／Ｏポート３４は、データバスラインを介してＣＰＵ３８，ＲＡＭ４０およびＲＯＭ４２に接続されており、ＣＰＵ３８はＲＡＭ４０の一時記憶機能を利用しつつＲＯＭ４２に予め記憶されたプログラムに従ってＩ／Ｏポート３４に供給される信号を処理し、・・・表示装置４４には表示信号ＤＤを供給して最高血圧値および最低血圧値を表示させる。また、ポンプ駆動制御装置１８には駆動信号ＰＤを供給し、電動ポンプ２０の空気圧送量を連続的に変化させるように、ポンプ駆動制御装置１８から電動ポンプ２０に出力される駆動電力を制御する。」（２頁右下欄１４行〜３頁右上欄１６行）
　
(1-3)「このように本実施例の血圧測定装置においては、・・・カフ圧Ｐが準目標圧力Ｐ1を超えた後は、昇圧速度Ｖが低速の準目標昇圧速度Ｖ1まで減速されるため、昇圧停止時における電動ポンプ２０の作動遅れによる過昇圧が効果的に防止される。」（５頁右上欄８〜２０行）
　
(1-4)「上記ステップＳ１３においてはまた、駆動信号ＭＤ２の出力が停止させられて電磁弁２６が開かれ、カフ１０内の空気が絞り２４を介して徐々に排出されることにより、カフ圧Ｐがゆっくりと降下させられる。そして、このような状態においてステップＳ１４の血圧測定ルーチンが実行され、脈波信号ＳＭＤが表すカフ１０の圧力振動である脈波の大きさの変化に基づいて、カフ圧Ｐから最高血圧値および最低血圧値が測定されるとともに、その測定結果を表す表示信号ＤＤが出力されて表示装置４４に最高血圧値および最低血圧値が表示される。」（５頁左上欄１４行〜右上欄５行）
　
(1-5)「目標圧力Ｐ0は予想される最高血圧値よりも高い圧力で、たとえば本実施例では１８０mmＨｇ程度に設定されており、また、準目標圧力Ｐ1はそれより僅かに低い１６０〜１７０mmＨｇ程度に設定されている」（３頁右下欄２〜６行）
イ　引用例１において、カフ圧の加圧を終了した後に、カフ圧を徐々に減圧しながら最高血圧および最低血圧を測定、表示する構成や手順についての詳細な説明は省略されているが、第１図の構成と、上記(1-2)と(1-4)の記載および周知のカフ圧の減圧過程において血圧測定を行う血圧測定装置の構成と手順からみて、引用例１には、
　
「被測定者の要部に装着して阻血するカフと、カフ内の圧力を上昇させる加圧手段と、カフ内の圧力を徐々に降下させる排気手段と、カフ内の圧力を電気信号に変換する圧力センサーと、圧力センサーの出力から動脈脈波値及びカフ圧値を抽出する圧力情報分離手段と、圧力情報分離手段により抽出された動脈脈波値及びカフ圧値を格納する記憶手段と、記憶手段に格納された圧力値を適宜読み出して比較演算することにより、最高血圧値及び最低血圧値を決定する血圧決定手段と、その決定された最高血圧値及び最低血圧値を表示する表示手段とで構成されている電子血圧計」
が記載されているものと認められる。
　
　さらに、そのような電子血圧計において、
「加圧速度を制御する加圧制御手段を設けると共に、最高血圧値よりも高い目標圧力Ｐ0より低い準目標圧力Ｐ1を設定し、カフ内の圧力がＰ1に達したことを検出して昇圧速度を減速し、カフ内の圧力がＰ0に達したことを検出して加圧動作を終了すること」、
　
「カフ加圧中においてはローパスフイルタの出力（静的な圧力信号ＳＰ）と同時にバンドパスフイルタの出力（脈波信号ＳＭ）が得られていること」、
が記載、図示されていると認められる。
　
ウ　原査定の拒絶理由に引用された特開平２−２３４７４０号公報（以下、引用例２という。）には、次の事項が記載されている。
　
(2-1)「この発明の電子血圧計は、カフと、このカフ内の空気を微速で又は急速に加圧する加圧手段と、前記カフ内の空気を急速に排気する急速排気手段と、前記カフ内の空気圧を検出する圧力検出手段と、被験者の心血管情報を検出する心血管情報検出手段と、前記圧力検出手段の圧力信号及び前記心血管情報検出手段の心血管情報信号に基づいて血圧値を決定する血圧値決定手段とを備えてなるものにおいて」（２頁右上欄１３行〜左下欄１行）
　
(2-2)「血圧値決定処理（ＳＴ１０）は、オシロメトリック法により、例えば脈波振幅値Ａnの最大値Ａmaxを抽出し、脈波振幅値Ａnの増加側で最大値Ａmaxの７０％となる脈波振幅値が観測された時のカフ圧を最低血圧値と決定し、脈波振幅値Ａnの減少側で最大値Ａmaxの６０％となる脈波振幅値が抽出された時のカフ圧を最高血圧値と決定する。」（３頁左下欄１６行〜右下欄３行）
エ　これらの記載と第１、２図によると、引用例２においては、カフの加圧過程において脈波振幅値の最大値Ａmaxを抽出し、その最大値の６０％となる脈波振幅値を最高血圧に対応する脈波値として推定していること、すなわち、加圧中に圧力情報分離手段により抽出される動脈脈波値の変化に応じて最高血圧に対応する動脈脈波値を推定していることが認められる。
　
オ　原査定の拒絶理由に引用された特開平１−２５６９３０号公報（以下、引用例３という。）には、次の事項が記載されている。
　
(3-1)「本発明は斯かる点に鑑みてなされたもので、従来は手動で設定していた最大カフ加圧値を自動的に設定できるようにし、被検者に対し適切なカフの加圧が行えるようにすることを目的とする。
〔課題を解決するための手段〕
　・・・、先ず加圧中の被検者の脈波信号を検出し、この脈波信号から最大振幅の脈波を検出してそのときのカフ圧値を記憶する。そしてこのカフ圧値に所定の値例えば７０mmHgを加えた値までカフが加圧されたときに加圧を停止させ、その後徐々にカフの排気を行い血圧値を計測する。」（２頁左上欄１７〜右上欄９行）
　
カ　上記記載と第１〜２図によれば、所定のカフ内圧を得るための目標値の設定についてではあるが、予め手動で目標値を設定しておくことに代えて、加圧中の脈波信号を検出しその変化に応じて目標値を自動的に設定するというカフ加圧制御のための着想が記載されていると認められる。
　
３．対比
　
　本願発明における「その推定される動脈脈波値付近」が最高血圧付近に対応していること、引用例１に記載された「準目標圧力Ｐ1」が最高血圧付近であることは明らかであるから、本願発明と引用例１に記載された発明とは、
　
「被測定者の要部に装着して阻血するカフと、カフ内の圧力を上昇させる加圧手段と、カフ内の圧力を徐々に降下させる排気手段と、カフ内の圧力を電気信号に変換する圧力センサーと、圧力センサーの出力から動脈脈波値及びカフ圧値を抽出する圧力情報分離手段と、圧力情報分離手段により抽出された動脈脈波値及びカフ圧値を格納する記憶手段と、記憶手段に格納された圧力値を適宜読み出して比較演算することにより、最高血圧値及び最低血圧値を決定する血圧決定手段と、その決定された最高血圧値及び最低血圧値を表示する表示手段とで構成されている電子血圧計に於いて、加圧速度を制御する加圧制御手段を設けると共に、加圧中に最高血圧付近で加圧速度を減速して加圧完了を確認して加圧動作を終了する電子血圧計」である点で一致し、
　
　引用例１に記載された発明では最高血圧付近を準目標圧力Ｐ1として予め設定しておくのに対し、本願発明では最高血圧付近を動脈脈波値の変化に応じて最高血圧に対応する動脈脈波値を推定し、その推定される動脈脈波値付近とする点で相違する。
　
４．当審の判断
　
　所定のカフ内圧を得るための圧力目標値の設定についてではあるが、予め手動で圧力目標値を設定しておくことに代えて、カフ加圧中の脈波信号を検出しその変化に応じて圧力目標値を自動的に設定するというカフ加圧制御のための着想が引用例３に示されており、引用例２の記載によれば、カフ加圧中に圧力情報分離手段により抽出される脈波値の変化に応じて最高血圧に対応する脈波値を推定できることが認められ、引用例１の電子血圧計のカフ加圧中においてはローパスフイルタの出力（静的な圧力信号ＳＰ）と同時にバンドパスフイルタの出力（脈波信号ＳＭ）が得られているから、カフ加圧制御のために加圧中の脈波信号ＳＭに着目してその変化から最高血圧に対応する動脈脈波値を推定すること、その推定される動脈脈波値付近を最高血圧付近として加圧速度を減速するように構成することは当業者が容易になしうることである。
　
　そして、明細書に記載された本願発明の効果は、上記容易になしえた構成から得られるものであって格別のものとは認められない。
　
５．むすび
　以上の検討によれば、本願発明は、引用例１〜３に記載された発明に基づいて当業者が容易に発明をすることができたものであるので、特許法第２９条第２項の規定により特許を受けることができない。したがって、本願の請求項２，３に係る発明について検討するまでもなく、この出願は拒絶されるべきものである。
　
　よって、結論のとおり審決する。